【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
複数のコンテンツを順次に表示するための表示スケジュール情報を格納する格納手段と、
前記表示スケジュール情報に従ってコンテンツを表示器に表示する表示手段と、
前記表示手段によってコンテンツが表示されている間に、表示処理に関わるユーザ操作を受け付ける操作手段と、
前記複数のコンテンツのうち、前記操作手段が前記ユーザ操作を受け付けたときに表示されていたコンテンツに関連するコンテンツを、各コンテンツのメタデータに基づいて判別する判別手段と、
前記表示手段による前記複数のコンテンツの表示において、前記判別手段により関連するコンテンツとして判別されたコンテンツの表示処理を、前記操作手段が受け付けた前記ユーザ操作に従って変更する変更手段とを備えることを特徴とするコンテンツ表示装置。
【請求項２】
前記複数のコンテンツの各々は、表示方法を示す付属情報を有し、
前記変更手段は、前記ユーザ操作によって表示方法が変更された場合、変更された表示方法でもって前記判別手段で判別された関連するコンテンツの付属情報を更新することにより、前記関連するコンテンツの表示処理を変更することを特徴とする請求項１に記載のコンテンツ表示装置。
【請求項３】
前記操作手段が前記ユーザ操作を受け付けたときに表示されていたコンテンツのメタデータと、前記ユーザ操作によって変更された表示方法を変更情報として登録する登録手段を更に備え、
前記判別手段は、前記登録手段に登録された前記変更情報によって示されるメタデータを用いて関連するコンテンツを判別し、
前記変更手段は、前記判別手段で関連すると判別されたコンテンツの表示処理を、前記変更情報によって示される表示方法に基づいて変更することを特徴とする請求項２に記載のコンテンツ表示装置。
【請求項４】
前記表示方法はコンテンツの表示時間を含み、
前記ユーザ操作は、表示中のコンテンツについて表示の切り替えのタイミングを指定し、
前記変更手段は、前記判別手段で判別されたコンテンツの表示時間を、前記タイミングが指定された前記表示中のコンテンツが実際に表示された時間に基づいて変更することを特徴とする請求項２または３に記載のコンテンツ表示装置。
【請求項５】
前記表示方法はコンテンツの表示効果を含み、
前記ユーザ操作は、表示中のコンテンツに対して付与すべき表示効果を指定し、
前記変更手段は、前記判別手段で判別されたコンテンツの表示効果を前記ユーザ操作によって指定された表示効果に変更することを特徴とする請求項２または３に記載のコンテンツ表示装置。
【請求項６】
前記表示スケジュール情報に従った前記複数のコンテンツの表示を、前記表示手段に繰り返し実行させる繰り返し手段を更に備え、
前記変更手段は、前記繰り返し手段による２周目以降の表示において機能することを特徴とする請求項１乃至５のいずれか１項に記載のコンテンツ表示装置。
【請求項７】
前記表示手段による、前記表示スケジュール情報に従ったコンテンツの表示を繰り返し実行させる繰り返し手段を更に備え、
前記登録手段は、前記繰り返し手段による１周目の表示のみにおいて機能し、前記変更手段は、前記繰り返し手段による２周目以降の表示のみにおいて機能することを特徴とする請求項３に記載のコンテンツ表示装置。
【請求項８】
前記表示方法はコンテンツの表示時間を含み、
前記登録手段は、前記ユーザ操作を受け付けたときに表示していたコンテンツの実際の表示時間に基づいて当該ユーザ操作に関わる変更情報を登録するか否かを判断し、登録すると判断された場合に当該ユーザ操作に関わる変更情報を登録することを特徴とする請求項３に記載のコンテンツ表示装置。
【請求項９】
コンテンツが表示された時間と、前記登録手段に変更情報として登録すべき表示時間との対応を示す登録ルールを保持する手段を更に備え、
前記登録手段は、前記実際の表示時間に対応した登録すべき表示時間を前記登録ルールから取得して、取得された表示時間を変更情報として登録することを特徴とする請求項８に記載のコンテンツ表示装置。
【請求項１０】
表示の一時停止操作の有効性を判定するための判定ルールを保持する手段を更に備え、
前記登録手段は、前記判定ルールに従って一時停止操作が無効と判定した場合には、前記ユーザ操作を受け付けたときに表示していたコンテンツの計測された表示時間から前記一時停止操作による一時停止時間を差し引いて得られた表示時間を、前記実際の表示時間として用いることを特徴とする請求項８または９に記載のコンテンツ表示装置。
【請求項１１】
前記表示手段は、前記スケジュール情報に従って２つ以上のコンテンツを同時に前記表示器に表示し、
前記操作手段は、前記表示手段によって表示されている２つ以上のコンテンツから１つを選択する指示と、選択されたコンテンツに対するユーザ操作の指示を受け付け、
前記判別手段は、前記操作手段によって選択されたコンテンツに関連するコンテンツを判別することを特徴とする請求項１乃至１０のいずれか１項に記載のコンテンツ表示装置。
【請求項１２】
前記表示手段は、前記スケジュール情報に従って２つ以上のコンテンツを同時に前記表示器に表示し、
前記変更手段で変更された表示効果によってコンテンツを表示した場合に、前記表示効果が該コンテンツと同時に表示される他のコンテンツへ影響するか否かを判定し、影響すると判定された場合には、当該表示効果の表示方法を変更する表示効果制御手段を更に備えることを特徴とする請求項５に記載のコンテンツ表示装置。
【請求項１３】
前記表示効果制御手段は、表示効果の影響範囲を抑制することを特徴とする請求項１２に記載のコンテンツ表示装置。
【請求項１４】
前記表示効果制御手段は、表示効果による表示の透明度を変更することを特徴とする請求項１２に記載のコンテンツ表示装置。
【請求項１５】
前記表示効果制御手段は、表示効果による表示部分のレイヤの表示順位を変更することを特徴とする請求項１２に記載のコンテンツ表示装置。
【請求項１６】
前記表示効果制御手段は、前記変更手段で変更された表示効果によってコンテンツを表示した場合に、当該コンテンツに加えられる表示効果の影響範囲と他のコンテンツに加えられた表示効果の影響範囲が干渉するか否かを判定し、干渉する場合には新たな表示効果を当該コンテンツに発現させることを特徴とする請求項１２に記載のコンテンツ表示装置。
【請求項１７】
前記ユーザ操作によってコンテンツの表示時間が第１の所定時間を越えた場合に、前記複数のコンテンツ以外のコンテンツから、前記操作手段が前記ユーザ操作を受け付けたときに表示されていたコンテンツに関連するコンテンツを取得する取得手段と、
前記取得手段で取得されたコンテンツを前記表示スケジュール情報に加えるスケジュール変更手段と、を更に備えることを特徴とする請求項１乃至１６のいずれか１項に記載のコンテンツ表示装置。
【請求項１８】
前記スケジュール変更手段は、前記表示スケジュール情報に前記取得されたコンテンツを追加する際に、ユーザに対して許可を求めることを特徴とする請求項１７に記載のコンテンツ表示装置。
【請求項１９】
コンテンツの探索範囲を指定する指定手段を更に備え、
前記取得手段は、前記指定手段によって指定された探索範囲のコンテンツから関連するコンテンツの取得を行うことを特徴とする請求項１７に記載のコンテンツ表示装置。
【請求項２０】
前記スケジュール変更手段は、前記ユーザ操作によってコンテンツの表示時間が第２の所定時間よりも短い場合に、当該コンテンツを前記表示スケジュール情報から削除することを特徴とする請求項１７に記載のコンテンツ表示装置。
【請求項２１】
前記表示スケジュール情報が示すコンテンツの表示順の一部について、コンテンツの追加または削除の禁止を設定する設定手段を更に備え、
前記スケジュール変更手段は、前記表示スケジュールの前記設定手段による禁止が設定されていない部分のみにおいて、前記追加または削除を実行することを特徴とする請求項２０に記載のコンテンツ表示装置。
【請求項２２】
複数のコンテンツを順次に表示するための表示スケジュール情報を格納する格納手段を備えたコンテンツ表示装置の制御方法であって、
表示手段が、前記表示スケジュール情報に従ってコンテンツを表示器に表示する表示工程と、
操作手段が、前記表示工程によってコンテンツが表示されている間に、表示処理に関わるユーザ操作を受け付ける操作工程と、
判別手段が、前記複数のコンテンツのうち、前記操作工程が前記ユーザ操作を受け付けたときに表示されていたコンテンツに関連するコンテンツを、各コンテンツのメタデータに基づいて判別する判別工程と、
変更手段が、前記表示工程における前記複数のコンテンツの表示において、前記判別工程で関連するコンテンツとして判別されたコンテンツの表示処理を、前記操作工程で受け付けた前記ユーザ操作に従って変更する変更工程とを備えることを特徴とするコンテンツ表示装置の制御方法。
【請求項２３】
請求項２２に記載されたコンテンツ表示装置の制御方法の各工程をコンピュータに実行させるプログラム。
【請求項２４】
請求項２２に記載されたコンテンツ表示装置の制御方法の各工程をコンピュータに実行させるプログラムを格納したコンピュータ読み取り可能な記憶媒体。
【手続補正２】
【補正対象書類名】明細書
【補正対象項目名】００２０
【補正方法】変更
【補正の内容】
【００２０】
上記の目的を達成するための本発明の一態様によるコンテンツ表示装置は、以下の構成を備える。即ち、
複数のコンテンツを順次に表示するための表示スケジュール情報を格納する格納手段と、
前記表示スケジュール情報に従ってコンテンツを表示器に表示する表示手段と、
前記表示手段によってコンテンツが表示されている間に、表示処理に関わるユーザ操作を受け付ける操作手段と、
前記複数のコンテンツのうち、前記操作手段が前記ユーザ操作を受け付けたときに表示されていたコンテンツに関連するコンテンツを、各コンテンツのメタデータに基づいて判別する判別手段と、
前記表示手段による前記複数のコンテンツの表示において、前記判別手段により関連するコンテンツとして判別されたコンテンツの表示処理を、前記操作手段が受け付けた前記ユーザ操作に従って変更する変更手段とを備える。
【手続補正３】
【補正対象書類名】明細書
【補正対象項目名】００２１
【補正方法】変更
【補正の内容】
【００２１】
更に、上記の目的を達成するための本発明の他の一態様によるコンテンツ表示装置の制御方法は、以下の構成を備える。即ち、
複数のコンテンツを順次に表示するための表示スケジュール情報を格納する格納手段を備えたコンテンツ表示装置の制御方法であって、
表示手段が、前記表示スケジュール情報に従ってコンテンツを表示器に表示する表示工程と、
操作手段が、前記表示工程によってコンテンツが表示されている間に、表示処理に関わるユーザ操作を受け付ける操作工程と、
判別手段が、前記複数のコンテンツのうち、前記操作工程が前記ユーザ操作を受け付けたときに表示されていたコンテンツに関連するコンテンツを、各コンテンツのメタデータに基づいて判別する判別工程と、
変更手段が、前記表示工程における前記複数のコンテンツの表示において、前記判別工程で関連するコンテンツとして判別されたコンテンツの表示処理を、前記操作工程で受け付けた前記ユーザ操作に従って変更する変更工程とを備える。